(57)【要約】【課題】外針から突出させた挿入物を引き戻しても、挿入物が外針の開口縁で傷付いたり開口縁に引掛かることのない医療用穿刺針を提供する。【解決手段】外針１よりも軟質の材料からなる保護部材３を外針１の開口部１ａの内側を覆うように設けたので、外針１の先端から突出させた挿入物Ａを引き戻した場合でも、挿入物Ａは保護部材３に接触して外針１の開口部１ａの刃１ｂに接触することがなく、挿入物Ａが外針１の刃１ｂで傷付いたり刃１ｂに引掛かるという不具合を効果的に防止することができる。【選択図】図６
2008194112.tif 000002
【特許請求の範囲】
【請求項１】
内部にカテーテル、ガイドワイヤ等の挿入物を挿通可能な中空状の外針を備え、体内に穿刺した外針の基端側から挿入物を挿入し、挿入物を外針の開口部から突出させて体内に導入する医療用穿刺針において、
前記外針よりも軟質の材料からなる保護部材を外針の開口部の内側を覆うように設けた
ことを特徴とする医療用穿刺針。
【請求項２】
前記外針を先端側が一側方に向かって湾曲するように形成し、その湾曲した先端に前記開口部を設けるとともに、開口部の縁部に刃を形成した
ことを特徴とする請求項１記載の医療用穿刺針。
【請求項３】
前記外針を先端部以外の部分が管状をなすように形成し、その外周面に前記開口部を設けるとともに、外針の先端部を鋭利に形成した
ことを特徴とする請求項１記載の医療用穿刺針。
【請求項４】
前記保護部材を合成樹脂によって形成した
ことを特徴とする請求項１、２または３記載の医療用穿刺針。
【発明の詳細な説明】
【技術分野】
【０００１】
本発明は、例えば硬膜外腔や血管内等にカテーテルを導入するために用いられる医療用穿刺針に関するものである。
【背景技術】
【０００２】
従来、この種の医療用穿刺針としては、先端の開口縁に刃が形成された中空状の外針を備え、体内に穿刺した外針の基端側からカテーテル、ガイドワイヤ等の挿入物を挿入し、挿入物を外針の先端から突出させて体内に導入するようにしたものが知られている（例えば、特許文献１参照。）。
【０００３】
この医療用穿刺針では、例えば硬膜外麻酔に用いる場合、外針内に中実状の内針を挿入した状態で硬膜外腔まで穿刺した後、外針から内針を抜き取り、外針の基端側からカテーテルを挿入して外針の先端から硬膜外腔に突出させ、外針を抜き取ってカテーテルを留置するようにしている。また、静脈や動脈等の血管内にカテーテルを留置する場合は、血管内に穿刺した外針の基端側からガイドワイヤを挿入し、ガイドワイヤを外針の先端から突出させて目的位置まで挿入した後、外針を抜き取り、カテーテルをガイドワイヤに沿って血管内に導入し、ガイドワイヤを抜き取ってカテーテルを留置するようにしている。
【特許文献１】特開２００６−３２０５２６号公報
【発明の開示】
【発明が解決しようとする課題】
【０００４】
しかしながら、カテーテルやガイドワイヤ等の挿入物を外針の先端から突出させた後に引き戻すと、挿入物が外針の刃に接触して傷付いたり、或いは刃に引掛かって容易に引き戻せないという問題点があった。
【０００５】
本発明は前記問題点に鑑みてなされたものであり、その目的とするところは、外針から突出させた挿入物を引き戻しても、挿入物が外針の開口縁で傷付いたり開口縁に引掛かることのない医療用穿刺針を提供することにある。
【課題を解決するための手段】
【０００６】
本発明は前記目的を達成するために、内部にカテーテル、ガイドワイヤ等の挿入物を挿通可能な中空状の外針を備え、体内に穿刺した外針の基端側から挿入物を挿入し、挿入物を外針の開口部から突出させて体内に導入する医療用穿刺針において、前記外針よりも軟質の材料からなる保護部材を外針の開口部の内側を覆うように設けている。
【０００７】
これにより、外針よりも軟質の材料からなる保護部材によって外針の開口部の内側が覆われていることから、外針の先端から突出させた挿入物を引き戻した場合でも、挿入物は保護部材に接触し、外針の開口部の縁部に接触することはない。
【発明の効果】
【０００８】
本発明の医療用穿刺針によれば、外針の先端から突出させた挿入物を引き戻した場合でも、挿入物が外針の開口部の縁部に接触することがないので、挿入物が外針の開口縁で傷付いたり開口縁に引掛かるという不具合を効果的に防止することができる。
【発明を実施するための最良の形態】
【０００９】
図１乃至図６は本発明の第１の実施形態を示すもので、図１は医療用穿刺針の側面図、図２及び図３はその要部斜視図、図４乃至図６はその要部側面断面図である。
【００１０】
この医療用穿刺針は、内部にカテーテル、ガイドワイヤ等の挿入物Ａを挿通可能な中空状の外針１と、外針１内に挿入された中実状の内針２とを備え、外針１内には円筒状の保護部材３が設けられている。
【００１１】
外針１はステンレス等の金属製の管状部材からなり、その先端側が一側方に向かって湾曲するとともに、先端の開口部１ａの縁部には刃１ｂが形成されている。外針１の基端側はハブ４に固定され、ハブ４には幅方向両側に延びる把持部４ａが設けられている。
【００１２】
内針２はステンレス等の金属製の棒状部材からなり、その先端側が外針１に沿って湾曲するとともに、その先端面は外針１の先端と面一になるように形成されている。内針２の基端側はハブ５に固定され、ハブ５には軸方向に延びる把持部５ａが設けられている。
【００１３】
保護部材３は、例えば合成樹脂等、外針１よりも軟質の材料からなり、その先端側が外針１に沿って湾曲するとともに、その先端開口縁は外針１の先端と面一になるように形成されている。保護部材３は外針１の内径とほぼ同等の外径を有し、外針１の内周面を覆うように形成されている。この場合、保護部材３は、外針１に対して位置ずれを生じないように固定されていれば、必ずしも外針１の内周面に固着されていなくてもよい。また、予め円筒状に形成された保護部材３を外針１内に挿入するようにしてもよいが、外針１の内周面に合成樹脂のコーティングを施すことにより保護部材３を形成するようにしてもよい。
【００１４】
以上のように構成された医療用穿刺針を用いて、体内にカテーテルやガイドワイヤ等の挿入物Ａを挿入する場合には、まず、図２及び図４に示すように内針２が挿入された外針１を体内に穿刺した後、内針２をハブ５と共に外針１から抜き取る。その際、内針２は細径であるため、先端側の湾曲形状が直線状に弾性変形しながら抜き取られる。この後、図３及び図５に示すように挿入物Ａを外針１の基端側から先端側に向かって挿入し、外針１の開口部１ａから所望の長さだけ突出させる。その際、例えば挿入物Ａを突出させすぎたり、或いは突出方向を変えたい場合など、挿入物Ａを外針１の基端側に向かって引き戻すと、図６に示すように挿入物Ａが先端の開口縁に接触するが、挿入物Ａは外針１の開口部１ａの内側に設けた保護部材３に接触するため、外針１の開口部１ａの刃１ｂに接触することはない。
【００１５】
このように、本実施形態の医療用穿刺針によれば、外針１よりも軟質の材料からなる保護部材３を外針１の開口部１ａの内側を覆うように設けたので、外針１の先端から突出させた挿入物Ａを引き戻した場合でも、挿入物Ａは保護部材３に接触して外針１の開口部１ａの刃１ｂに接触することがなく、挿入物Ａが外針１の刃１ｂで傷付いたり刃１ｂに引掛かるという不具合を効果的に防止することができる。
【００１６】
この場合、保護部材３を合成樹脂によって形成するようにしたので、保護部材３の加工が容易であるとともに、金属よりも軟質な合成樹脂によって挿入物Ａの傷付きや引掛かりを確実に防止することができる。
【００１７】
また、外針１を先端側が一側方に向かって湾曲するように形成し、その湾曲した先端に開口部１ａを設けるとともに、開口部１ａの縁部に刃１ｂを形成したので、先端側の湾曲形状により、例えば硬膜外腔へのカテーテルの挿入を容易に行うことができ、硬膜外麻酔に用いる場合に極めて有利である。
【００１８】
尚、前記実施形態では外針１の先端側が湾曲したものを示したが、湾曲せずに直管状に形成されているものにも本発明を適用することができる。
【００１９】
図７及び図８は本発明の第２の実施形態を示す医療用穿刺針の要部側面断面図であり、他の部分については前記実施形態と同等であるため図示を省略する。
【００２０】
同図に示す医療用穿刺針は、内部にカテーテル、ガイドワイヤ等の挿入物Ａを挿通可能な中空状の外針１０を備え、外針１０内には円筒状の保護部材１１が設けられている。
【００２１】
外針１０はステンレス等の金属製の部材からなり、その先端部を鋭利に形成されるとともに、先端部以外の部分は管状をなすように形成されている。外針１０の先端からやや基端側の外周面には側方に向かって開口する開口部１０ａが設けられ、開口部１０ａは外針１０の内部空間の先端側に連通している。この場合、内部空間の軸方向先端は、開口部１０ａに向かって下り傾斜をなすように斜めに形成されている。
【００２２】
保護部材１１は、前記実施形態と同様、合成樹脂等の軟質材料からなり、その先端側が外針１０の内部空間の先端に沿って湾曲するとともに、その先端は外針１０の開口部１０ａの周縁と面一になるように形成されている。保護部材１１は外針１０の内径とほぼ同等の外径を有し、外針１０の開口部１０ａの内側を全周に亘って覆うように形成されている。
【００２３】
本実施形態の医療用穿刺針を用いて体内にカテーテルやガイドワイヤ等の挿入物Ａを挿入する場合には、まず、外針１０を体内に穿刺した後、図７に示すように挿入物Ａを外針１０の基端側から先端側に向かって挿入し、外針１０の開口部１０ａから所望の長さだけ突出させる。その際、挿入物Ａを外針１０の基端側に向かって引き戻すと、図８に示すように挿入物Ａが外針１０の開口縁に接触するが、挿入物Ａは外針１０の開口部１０ａの内側に配置された保護部材１１に接触するため、外針１０の開口部１０ａの縁部に接触することはない。
【００２４】
このように、本実施形態の医療用穿刺針によれば、外針１０の外周面に一側方に向かって開口するように設けた開口部１０ａの内側を覆う軟質の保護部材１１を備えているので、開口部１０ａから側方に挿入物Ａを突出させる構成においても、前記実施形態と同様、挿入物Ａが開口縁で傷付いたり開口縁に引掛かるという不具合を効果的に防止することができる。
【００２５】
また、外針１０を先端部以外の部分が管状をなすように形成し、その外周面に開口部１０ａを設けるとともに、外針１０の先端部を鋭利に形成したので、鋭利な先端部により、例えば静脈や動脈等の血管に容易に穿刺することができ、血管内にガイドワイヤを挿入する場合に極めて有利である。
【００２６】
尚、前記実施形態では、保護部材１１が外針１０の開口部１０ａの内側を全周に亘って覆うように形成されたものを示したが、図９に示すように先端側まで直管状に形成された保護部材１２によって開口部１０ａの周方向一部（外針１０の基端側）のみを覆うようにしたものであってもよい。この場合、保護部材１２の先端面は斜めに形成され、その先端が外針１０の内部空間の先端に当接することにより、保護部材１２がその周方向一部によって開口部１０ａの周方向一部を覆うように位置決めされる。
【００２７】
即ち、外針１０の開口部１０ａから突出させた挿入物Ａを引き戻すと、通常は開口部１０ａにおける外針１０の基端側に挿入物Ａが接触するため、保護部材１２のように構造を簡素化することができる。尚、開口部１０ａにおける外針１０の先端側に挿入物Ａが接触する場合もあるが、開口部１０ａに通ずる外針１０の内部空間の先端は開口部１０ａの縁部で鈍角をなすように斜めに形成されているため、開口部１０ａにおける外針１０の先端側に挿入物Ａが接触して傷付いたり、挿入物Ａが開口縁に引掛かることは少ない。
【図面の簡単な説明】
【００２８】
【図１】本発明の第１の実施形態を示す医療用穿刺針の側面図
【図２】医療用穿刺針の要部斜視図
【図３】医療用穿刺針の要部斜視図
【図４】医療用穿刺針の要部側面断面図
【図５】医療用穿刺針の要部側面断面図
【図６】医療用穿刺針の要部側面断面図
【図７】本発明の第２の実施形態を示す医療用穿刺針の要部側面断面図
【図８】医療用穿刺針の要部側面断面図
【図９】第２の実施形態の変形例を示す医療用穿刺針の要部側面断面図
【符号の説明】
【００２９】
１…外針、１ａ…開口部、３…保護部材、１０…外針、１０ａ…開口部、１１，１２…保護部材、Ａ…挿入物。
【図１】
2008194112.tif 000003
【図２】
2008194112.tif 000004
【図３】
2008194112.tif 000005
【図４】
2008194112.tif 000006
【図５】
2008194112.tif 000007
【図６】
2008194112.tif 000008
【図７】
2008194112.tif 000009
【図８】
2008194112.tif 000010
【図９】
2008194112.tif 000011